(57)【要約】 【課題】  非常に簡単に記録用紙の白色度を検知することができ、構造が簡略化されたカラー画像形成装置を提供する。【解決手段】カラー画像形成装置１は、制御部１０、ＲＯＭ１１、ＲＡＭ１２、ＮＣＵ１３、モデム１４、読取部１５、画像処理部１６、画像メモリ１７、操作部１８、通信インタフェース１９、記録部２０等を備えており、それぞれはバス２１を介して相互に接続されている。画像処理部１６は、表色系変換処理とともに、記録部２０により記録される記録用紙の白色度に応じた画像処理を行なう画像処理手段として動作しており、記録対象の用紙に適切な色調で記録部２０が画像を形成することが可能な画像データを生成することができる。【選択図】      図１
2009037066.tif 000002
【特許請求の範囲】
【請求項１】
嵌脱可能に構成され、内部に記録用紙を収容する給紙カセットと、
白色度の異なる複数のパッチを有するグレースケールと、
前記グレースケール上を移動可能に構成され、１つのパッチを標示する標示部材と、
前記標示部材の位置を検知することによって、前記給紙カセットに収容されている記録用紙の白色度を検知する白色度検知手段とを備え、
前記白色度検知手段が検知した記録用紙の白色度に基づいて、予め白色度ごとに設定される画像処理条件で画像形成を行うことを特徴とするカラー画像形成装置。
【請求項２】
前記標示部材は、前記給紙カセットに収容されている記録用紙の白色度と一致するパッチを標示するように、ユーザーによって移動可能に構成されていることを特徴とする請求項１記載のカラー画像形成装置。
【請求項３】
前記グレースケールは、前記給紙カセットを開放しているとき、露出していることを特徴とする請求項１または２に記載のカラー画像形成装置。
【請求項４】
前記グレースケールは、前記給紙カセットに備えられていることを特徴とする請求項１〜３のいずれか１つに記載のカラー画像形成装置。
【請求項５】
前記標示部材が、特定のパッチを囲む中抜け形状を有することを特徴とする請求項１〜４のいずれか１つに記載のカラー画像形成装置。
【請求項６】
前記標示部材が、特定のパッチを示す矢印形状を有することを特徴とする請求項１〜４のいずれか１つに記載のカラー画像形成装置。
【請求項７】
前記標示部材が永久磁石を含んで構成され、
磁力によって前記グレースケール上に前記標示部材を保持するための磁性板を有することを特徴とする請求項１〜６のいずれか１つに記載のカラー画像形成装置。
【請求項８】
前記標示部材が永久磁石を含んで構成され、
前記グレースケールが磁性を有することを特徴とする請求項１〜６のいずれか１つに記載のカラー画像形成装置。
【請求項９】
前記白色度検知手段が、複数の磁力センサを備え、永久磁石を含む標示部材の位置が磁力センサにより検出されることを特徴とする請求項７または８記載のカラー画像形成装置。
【発明の詳細な説明】
【技術分野】
【０００１】
本発明は、記録用紙の白色度を検知して画像処理条件を決定するカラー画像形成装置に関する。
【背景技術】
【０００２】
従来スキャナやコンピュータから画像データを受け取り、カラー画像を形成するカラー画像形成装置が広く使用されている。このようなカラー画像形成装置においては、カラー画像の色再現性をよくするために、白色度の高いカラー専用紙が使用される。しかしながら、カラー画像よりモノクロ画像の印刷頻度が高い一般オフィスのカラー画像形成装置においては、通常は安価なモノクロ用紙が使用され、高価なカラー用紙は必要に応じて使用されることが多い。近年では環境問題に対する意識の高まりから、モノクロ用紙においては再生紙が使用されるケースが増えている。モノクロ用紙や再生紙は、カラー用紙に比べて白色度が低く、良好な色再現性を得るためには、それぞれの紙の白色度に適した画像処理条件で印刷することが好ましいが、紙の白色度に合わせて画像処理条件を設定することは、その操作に不慣れなユーザーが行うとなると、非常に手間取るなどの問題があった。
【０００３】
このような問題に対して、特許文献１では、給紙カセットに収容される紙の情報を記憶する記憶手段を備え、その情報を検知することによって、予め登録しておいた画像処理条件で画像を形成するカラー画像形成装置が開示されている。
【０００４】
【特許文献１】特開２００５−１７７０８号公報
【発明の開示】
【発明が解決しようとする課題】
【０００５】
しかしながら従来の方法では、予め設定しておいた種類（白色度）の用紙しか使用することができないばかりでなく、給紙カセットに収容される用紙の白色度が記憶手段で記憶されている用紙の白色度と同じであるかどうかチェックすることが難しく、白色度の設定が間違っているのに気がつかないままミスプリントを続けることがあった。
【０００６】
特に、多数の人々がネットワーク回線を通じて１台のカラー画像形成装置を使用する場合には、給紙カセットに収容される記録用紙を特定の種類の用紙に決めておく必要があるが、同じ種類の記録用紙を間違いなく補給するように徹底することが困難であり、その用紙の白色度が設定される画像処理条件と一致しているかどうかをチェックするのも容易ではなかった。
【０００７】
本発明の目的は、従来の問題を解決し、非常に簡単に記録用紙の白色度を検知することができ、構造が簡略化されたカラー画像形成装置を提供することにある。
【課題を解決するための手段】
【０００８】
本発明は、嵌脱可能に構成され、内部に記録用紙を収容する給紙カセットと、
白色度の異なる複数のパッチを有するグレースケールと、
前記グレースケール上を移動可能に構成され、１つのパッチを標示する標示部材と、
前記標示部材の位置を検知することによって、前記給紙カセットに収容されている記録用紙の白色度を検知する白色度検知手段とを備え、
前記白色度検知手段が検知した記録用紙の白色度に基づいて、予め白色度ごとに設定される画像処理条件で画像形成を行うことを特徴とするカラー画像形成装置である。
【０００９】
また本発明は、前記標示部材は、前記給紙カセットに収容されている記録用紙の白色度と一致するパッチを標示するように、ユーザーによって移動可能に構成されていることを特徴とする。
【００１０】
また本発明は、前記グレースケールは、前記給紙カセットを開放しているとき、露出していることを特徴とする。
【００１１】
また本発明は、前記グレースケールは、前記給紙カセットに備えられていることを特徴とする。
【００１２】
また本発明は、前記標示部材が、特定のパッチを囲む中抜け形状を有することを特徴とする。
【００１３】
また本発明は、前記標示部材が、特定のパッチを示す矢印形状を有することを特徴とする。
【００１４】
また本発明は、前記標示部材が永久磁石を含んで構成され、
磁力によって前記グレースケール上に前記標示部材を保持するための磁性板を有することを特徴とする。
【００１５】
また本発明は、前記標示部材が永久磁石を含んで構成され、
前記グレースケールが磁性を有することを特徴とする。
【００１６】
また本発明は、前記白色度検知手段が、複数の磁力センサを備え、永久磁石を含む標示部材の位置が磁力センサにより検出されることを特徴とする。
【発明の効果】
【００１７】
本発明によれば、カラー画像形成装置は、嵌脱可能に構成され、内部に記録用紙を収容する給紙カセットと、白色度の異なる複数のパッチを有するグレースケールと、グレースケール上を移動可能に構成され、１つのパッチを標示する標示部材と、標示部材の位置を検知することによって、給紙カセットに収容されている記録用紙の白色度を検知する白色度検知手段とを備え、白色度検知手段が検知した記録用紙の白色度に基づいて、予め白色度ごとに設定される画像処理条件で画像形成を行う。
【００１８】
グレースケール上を移動可能な標示部材が記録用紙の白色度を表示するので、記録用紙の白色度設定が正しいかどうかのチェックを、ユーザーが目視によって容易に行うことができる。またグレースケールのパッチの位置を検知して、記録用紙の白色度を検知するので、非常に簡単に記録用紙の白色度を検知することができ、構造も簡略化することができる。
【００１９】
記録用紙の白色度に応じた最適な画像処理条件を、予め設定することによって、その操作に不慣れなユーザーであっても、常に最適画像処理条件で印刷することができ、良好な画像を得ることができる。またカラー画像形成装置に装着された給紙カセットの白色度情報に基づいて、最適な画像処理条件（γ特性）が設定されるため、ユーザーが選択する給紙カセット（記録用紙の白色度）を変更する度に、画像処理条件を変更する必要がなくなり、印刷ミスを防ぐことができる。
【００２０】
また本発明によれば、標示部材は、給紙カセットに収容されている記録用紙の白色度と一致するパッチを標示するように、ユーザーによって移動可能に構成されていることが好ましい。
【００２１】
グレースケールのパッチと記録用紙とを見ながら、記録用紙の白色度に合ったグレースケール上の位置に、ユーザーが標示部材を移動させることで、記録用紙の白色度を標示することができるので、操作が容易で、白色度の設定ミスを防ぐことができる。また複数の人が使用するネットワークプリンターにおいても、色調が異なるといった印刷ミスを防ぐことができる。
【００２２】
また本発明によれば、グレースケールは、給紙カセットを開放しているとき、露出していることが好ましい。
【００２３】
給紙カセットを開放して記録用紙を補給する度に、グレースケールのパッチを見ながら、記録用紙の白色度に合った位置に標示部材を移動させて、記録用紙の白色度を標示することができるので、操作が容易で、白色度の設定ミスを防ぐことができる。記録用紙の白色度設定が正しいかどうかのチェックも、ユーザーが目視によって容易に行うことができる。また複数の人が使用するネットワークプリンターにおいても、確実に記録用紙に合わせて白色度を設定することができる。
【００２４】
また本発明によれば、グレースケールは、給紙カセットに備えられていることが好ましい。
【００２５】
グレースケールが給紙カセットに備えられていれば、給紙カセットの嵌脱に合わせてグレースケールも移動するので、記録用紙の白色度設定操作がより容易になる。また給紙カセットに収容されている記録用紙と、グレースケールとの位置が近くなると、記録用紙の白色度設定が正しいかどうかのチェックが容易である。
【００２６】
また本発明によれば、標示部材が、特定のパッチを囲む中抜け形状を有することが好ましい。
【００２７】
記録用紙の白色度に合ったグレースケール上の位置に、ユーザーが標示部材を移動させる操作が容易で、白色度の設定ミスを防ぐことができる。記録用紙の白色度設定が正しいかどうかのチェックも、ユーザーが目視によって容易に行うことができる。
【００２８】
また本発明によれば、標示部材が、特定のパッチを示す矢印形状を有することが好ましい。
【００２９】
記録用紙の白色度に合ったグレースケール上の位置に、ユーザーが標示部材を移動させる操作が容易で、白色度の設定ミスを防ぐことができる。記録用紙の白色度設定が正しいかどうかのチェックも、ユーザーが目視によって容易に行うことができる。
【００３０】
また本発明によれば、標示部材が永久磁石を含んで構成され、磁力によって前記グレースケール上に標示部材を保持するための磁性板を有することが好ましい。
【００３１】
標示部材が磁力によってグレースケール上のパッチを示す位置に保持されることから、標示部材およびグレースケールの機構を簡略化することができる。
【００３２】
また本発明によれば、標示部材が永久磁石を含んで構成され、グレースケールが磁性を有することが好ましい。
【００３３】
標示部材が磁力によってグレースケール上のパッチを示す位置に保持されることから、標示部材およびグレースケールの機構を簡略化することができる。
【００３４】
また本発明によれば、白色度検知手段が、複数の磁力センサを備え、永久磁石を含む標示部材の位置が磁力センサにより検出されることが好ましい。
【００３５】
標示部材およびグレースケールの簡略な機構とともに、白色度検知機構を簡略化することができ、スペース効率に優れたカラー画像形成装置が得られる。
【発明を実施するための最良の形態】
【００３６】
図１は、本発明に係るカラー画像形成装置１の構成例を示すブロック図である。このカラー画像形成装置１は、制御部１０、ＲＯＭ（Read Only Memory）１１、ＲＡＭ（Random Access Memory）１２、ＮＣＵ（Network Control Unit）１３、モデム１４、読取部１５、画像処理部１６、画像メモリ１７、操作部１８、通信インタフェース１９、記録部２０等を備えており、それぞれはバス２１を介して相互に接続されている。
【００３７】
制御部１０は、具体的には中央演算処理装置（ＣＰＵ；Central Processing Unit）等で構成されており、バス２１を介して接続される上述したようなハードウェア各部を制御すると共に、ＲＯＭ１１に格納された制御プログラムに従って、種々のソフトウェア的機能を実現する。
【００３８】
ＲＯＭ１１は、本実施の形態に係るカラー画像形成装置１としての動作に必要な種々の制御プログラムを予め記憶している。また、ＲＡＭ１２は、ＳＲＡＭ（Static Random
Access Memory）またはフラッシュメモリ等で構成され、制御部１０による制御プログラムの実行時に発生するデータを一時的に記憶する。
【００３９】
モデム１４は、ファクシミリ通信が可能なファックスモデムで構成されており、ＮＣＵ１３と直接的にも接続されている。ＮＣＵ１３は、公衆電話回線網と接続されており、必要に応じてモデム１４を公衆電話回線網と接続し、公衆電話回線網を介して外部の装置との間でのファクシミリ通信を可能としている。
【００４０】
読取部１５は、ＣＣＤ（Charge Coupled Device）等を利用したスキャナで原稿を読み取ることによりＲＧＢ表色系のカラー画像データを取得し、取得した画像データを画像処理部１６に入力する。
【００４１】
画像処理部１６は、読取部１５から取得したＲＧＢ表色系の画像データを、ＣＭＹＫ表色系の画像データに変換して画像メモリ１７に記憶する。なお本実施の形態における画像処理部１６は、表色系変換処理とともに、記録部２０により記録される記録用紙の白色度に応じた画像処理を行なう画像処理手段として動作しており、このような画像処理を行なうことにより、記録対象の用紙に適切な色調で記録部２０が画像を形成することが可能な画像データを生成することができる。
【００４２】
画像メモリ１７は、ＤＲＡＭ（Dynamic Random Access Memory）等により構成されており、画像処理部１６から取得した画像データを記憶する。
【００４３】
操作部１８は、カラー画像形成装置１の操作のために必要な情報を表示する液晶パネル等の表示部と、ユーザーの操作により制御命令などの情報が入力されるタッチパネルまたはテンキー等の入力部等を含む。
【００４４】
通信インタフェース１９は、たとえばＬＡＮ（Local Area Network）インターフェイスであり、図示しないネットワークを介して接続される外部のコンピュータ等へ、画像メモリ１７に記憶してある画像データを送信し、また、外部のコンピュータ等から画像データを受信する。
【００４５】
記録部２０は、電子写真方式のプリンタ装置であって、画像メモリ１７に記憶してある画像データを、ハードコピーとしてＡ３縦、Ｂ４縦、Ａ４縦、Ｂ５横およびＡ５横等の各白色度の普通紙、厚紙等から、指定された用紙を選択して記録する。
【００４６】
図２は、本発明に係るカラー画像形成装置１の構成を説明する図である。カラー画像形成装置１は、上面に操作部１８を備え、一側面に引出し式の給紙カセット２２（２２ａ，２２ｂ，２２ｃ）が複数嵌脱可能に取り付けてある。
【００４７】
カラー画像形成装置１は、複写機能、プリンタ機能およびファクシミリ（ＦＡＸ）機能を併せ持つ複合機であり、伝達される画像情報に応じて、記録用紙上にフルカラーまたはモノクロの画像を形成する。すなわち、カラー画像形成装置１においては、コピアモード（複写モード）、プリンタモードおよびＦＡＸモードという３種の印刷モードを有しており、操作部１８からの操作入力、パーソナルコンピュータ、携帯端末装置、情報記録記憶媒体、メモリ装置を用いた外部機器からの印刷ジョブの受信などに応じて、制御部１０により、印刷モードが選択される。カラー画像形成装置１は、伝達される画像情報に応じてトナー像を形成するトナー像形成手段と、トナー像を記録用紙に転写する転写手段と、トナー像を記録用紙に定着する定着手段と、転写手段に記録用紙を供給する記録用紙供給手段と、トナー像定着後の記録用紙を排出する排出手段とを含む。
【００４８】
図３は、グレースケール２３ａおよび標示部材２４ａの構成を説明する図である。グレースケール２３ａは、長方形の板状であり、一面に、白色度の異なる１０個のパッチ２５ａ〜２５ｊが長手方向に一列に並んでいる。これらのパッチは、白色度の順に並んでいる。各パッチ２５ａ〜２５ｊの白色度は、たとえばそれぞれ順に８５％，８０％，７５％，７０％，６５％，６０％，５５％，５０％，４５％，４０％であることが好ましい。
【００４９】
標示部材２４ａは、給紙カセットに収容されている記録用紙の白色度と一致する白色度を標示するように、ユーザーによって移動可能に構成されていることが好ましい。
【００５０】
グレースケール２３ａのパッチ２５ａ〜２５ｊと記録用紙とを見ながら、記録用紙の白色度に合ったグレースケール２３ａ上の位置に、ユーザーが標示部材２４ａを移動させることで、記録用紙の白色度を標示することができるので、操作が容易で、白色度の設定ミスを防ぐことができる。記録用紙の白色度設定が正しいかどうかのチェックも、ユーザーが目視によって容易に行うことができる。また複数の人が使用するネットワークプリンターにおいても、色調が異なるといった印刷ミスを防ぐことができる。
【００５１】
標示部材２４ａは、１０個のパッチの内１個のパッチを囲む長方形の中抜け形状２６を有していることが好ましい。記録用紙の白色度に合ったグレースケール２３ａ上の位置に、ユーザーが標示部材２４ａを移動させる操作が容易で、白色度の設定ミスを防ぐことができる。記録用紙の白色度設定が正しいかどうかのチェックも、ユーザーが目視によって容易に行うことができる。中抜け形状２６を有していることによって、目視での白色度の設定およびチェックを容易に行うことができる。またユーザーが手動で操作（移動）し易いように、把持部２７を有することが好ましい。把持部２７は、グレースケール２３ａの面からはみ出している方が、把持しやすいため好ましい。
【００５２】
図４は、グレースケール２３ｂおよび標示部材２４ｂの構成を説明する図である。グレースケール２３ｂは、長方形の板状であり、一面に、白色度の異なる多数のパッチが長手方向に一列に並んでいる。各パッチは非常に小刻みに形成され、白色度の異なる色のグラデーションを形成している。たとえばグレースケール２３ｂの長手方向一端部におけるパッチ２５ｋの白色度は８５％、他端部におけるパッチ２５ｚ白色度は０％であることが好ましい。
【００５３】
標示部材２４ｂは、給紙カセットに収容されている記録用紙の白色度と一致する白色度を標示するように、ユーザーによって移動可能に構成されていることが好ましい。
【００５４】
グレースケール２３ｂのパッチ２５ｋ〜２５ｚと記録用紙とを見ながら、記録用紙の白色度に合ったグレースケール２３ｂ上の位置に、ユーザーが標示部材２４ｂを移動させることで、記録用紙の白色度を標示することができるので、操作が容易で、白色度の設定ミスを防ぐことができる。記録用紙の白色度設定が正しいかどうかのチェックも、ユーザーが目視によって容易に行うことができる。また複数の人が使用するネットワークプリンターにおいても、色調が異なるといった印刷ミスを防ぐことができる。
【００５５】
標示部材２４ｂは、多数のパッチの内１個のパッチを示す矢印形状を有することが好ましい。記録用紙の白色度に合ったグレースケール２３ｂ上の位置に、ユーザーが標示部材２４ｂを移動させる操作が容易で、白色度の設定ミスを防ぐことができる。記録用紙の白色度設定が正しいかどうかのチェックも、ユーザーが目視によって容易に行うことができる。矢印形状を有していることによって、目視での白色度の設定およびチェックを容易に行うことができる。またユーザーが手動で操作（移動）し易いように、標示部材２４ｂの上部は、グレースケール２３ａの面からはみ出していることが好ましい。
【００５６】
標示部２４ｂは矢印形状をしていることによって、より小さな領域を標示することができるので、白色度の設定を確実に行うことができる。また画像処理条件をより細かく設定することも可能である。
【００５７】
標示部材２４（２４ａ，２４ｂ）が永久磁石を含んで構成され、グレースケール２３（２３ａ，２３ｂ）が磁性を有することが好ましい。標示部材２４をグレースケール２３上に安定保持することが、簡易な構成によって可能になる。また標示部材２４を移動するときも、取り外しが容易である。
【００５８】
標示部材２４が磁力によってグレースケール２３上のパッチ２５を示す位置に保持されることから、標示部材２４およびグレースケール２３の機構を簡略化することができる。
【００５９】
上記のような、グレースケール２３のパッチ２５上の標示部材２４の位置を検知することによって、白色度検知手段（不図示）は、記録用紙の白色度を検知する。白色度検知手段は、制御部１０に含まれる。白色度検知手段は、たとえばレーザセンサを含んで構成され、レーザによって標示部材２４の位置を検知する。
【００６０】
グレースケール２３上を移動可能な標示部材２４が記録用紙の白色度を表示するので、記録用紙の白色度設定が正しいかどうかのチェックを、ユーザーが目視によって容易に行うことができる。またグレースケール２３のパッチ２５の位置を検知して、記録用紙の白色度を検知するので、非常に簡単に記録用紙の白色度を検知することができ、構造も簡略化することができる。
【００６１】
さらに記録用紙の白色度に応じた最適な画像処理条件を、予め設定することによって、その操作に不慣れなユーザーであっても、常に最適画像処理条件で印刷することができ、良好な画像を得ることができる。またカラー画像形成装置１に装着された給紙カセット２２の白色度情報に基づいて、最適な画像処理条件（γ特性）が設定されるため、ユーザーが選択する給紙カセット（記録用紙の白色度）を変更する度に、画像処理条件を変更する必要がなくなり、印刷ミスを防ぐことができる。
【００６２】
特に標示部材２４が永久磁石を含んで構成される場合、白色度検知手段が、複数の磁力センサを備え、永久磁石を含む標示部材２４の位置が磁力センサにより検出されることが好ましい。
【００６３】
標示部材２４は、給紙カセット２２を閉じた場合に、カラー画像形成装置１の内部に設けられた磁力センサに位置が検知される。磁力センサとは、磁場（磁界）の大きさ・方向を計測することによって位置を検知するセンサである。標示部材２４およびグレースケール２３の簡略な機構とともに、白色度検知機構を簡略化することができ、スペース効率に優れたカラー画像形成装置１が得られる。
【００６４】
制御部１０は、取得した画像データを記録部２０にて画像出力する場合、ユーザーからの指定に基づいて、選択した給紙カセット２の白色度を検知し、制御部１０が特定した白色度に応じた画像処理を、画像処理部１６が行なうことができる。
【００６５】
白色度登録画面に従って登録できる白色度としては、図３に示すように、１０種類あり、複数の種類を登録することができる。なお白色度は上述した１０種類に限られない。
【００６６】
本実施の形態におけるカラー画像形成装置１は、制御部１０が、記録用紙の白色度に対応して、それぞれの種類の記録用紙に画像出力する際に行なう画像処理に係る情報を生成する生成手段として動作することにより、キャリブレーション機能を備えている。白色度の異なる記録用紙を登録しておくことにより、それぞれ異なる白色度の記録用紙に対して、最適な色調での画像の形成を可能とする画像データを生成することができる。たとえば記録用紙の白色度が低いほど、立ち上がりの急峻なガンマ特性にすることによって最適な色調での画像の形成が可能になる。
【００６７】
図５は、給紙カセット２２の構成を説明する図である。給紙カセット２２は、記録用紙が収納できるように箱型に構成されている。
【００６８】
グレースケール２３は、給紙カセット２２を開放しているとき、露出していることが好ましい。給紙カセット２２を開放して記録用紙を補給する度に、グレースケール２３のパッチ２５を見ながら、記録用紙の白色度に合った位置に標示部材２４を移動させて、記録用紙の白色度を標示することができるので、操作が容易で、白色度の設定ミスを防ぐことができる。記録用紙の白色度設定が正しいかどうかのチェックも、ユーザーが目視によって容易に行うことができる。また複数の人が使用するネットワークプリンターにおいても、確実に記録用紙に合わせて白色度を設定することができる。
【００６９】
グレースケール２３は、給紙カセット２２に備えられていることが好ましい。グレースケール２３が給紙カセット２２に備えられていれば、給紙カセット２２の嵌脱に合わせてグレースケール２３も移動するので、記録用紙の白色度設定操作がより容易になる。また給紙カセット２２に収容されている記録用紙と、グレースケール２３との位置が近くなると、記録用紙の白色度設定が正しいかどうかのチェックが容易である。
【００７０】
標示部材２４が永久磁石を含んで構成され、給紙カセット２２は、磁力によってグレースケール２３上に標示部材を保持するための磁性板を有することが好ましい。たとえば磁性を有するステンレス製の側板に、グレースケール２３と、永久磁石を含む標示部材２４とが設けられる。この場合、グレースケール２３が磁性を有していなくても、標示部材２４をグレースケール２３上に安定保持することが簡易な構成によって可能になる。標示部材２４を移動するときも、取り外しが容易である。
【００７１】
標示部材２４が磁力によってグレースケール２３上のパッチ２５を示す位置に保持されることから、標示部材２４およびグレースケール２３の機構を簡略化することができる。
【００７２】
またグレースケール２３は、箱状の給紙カセット２２の外側に備えられていることが好ましい。外側に備えられていることによって、記録用紙を給紙カセット２２に収容しても、グレースケール２３および標示部材２４を目視確認することができる。もし内側に備えられると、記録用紙を収容したときに、グレースケール２３および標示部材２４が記録用紙に隠れてしまい、ユーザーが目視できなくなる。
【００７３】
図６は本発明に係るカラー画像形成装置１における白色度の設定処理手順を示すフローチャートである。以下に、上述した構成のカラー画像形成装置１における給紙カセット２２に収容した記録用紙の白色度の登録処理について説明する。
【００７４】
ステップＳ１では、制御部１０は、いずれかの給紙カセット２２（２２ａ，２２ｂ，２２ｃ）が開けられたか否かを判断している。給紙カセット２２が開けられていない場合（ＮＯ）、通常の処理を行なって待機している。いずれかの給紙カセット２２が開けられた場合（ＹＥＳ）、ステップＳ２に進む。
【００７５】
ステップＳ２では、たとえば操作部１８の表示部１８ａに「給紙カセットが開いています」と表示することにより、ユーザーに給紙カセット２が開放していることを通知する。
【００７６】
ステップＳ３では、制御部１０は、開放されている給紙カセット２２が閉じられたか否かを判断している。給紙カセット２２が閉じられていない場合（ＮＯ）、閉じられるまで待機している。給紙カセット２２が閉じられた場合（ＹＥＳ）、ステップＳ４に進む。
【００７７】
ステップＳ４では、標示部材２４から、給紙カセット２２に収容された記録用紙の白色度を検出する。
【００７８】
ステップＳ５では、制御部１０は、検出した白色度とともに、設定した白色度の記録用紙に画像を形成する場合の画像処理に係る白色度テーブルを生成し、生成したパラメータをＲＡＭ１２に記憶させ、ＲＡＭ１２の白色度テーブルを更新する。
【００７９】
このように、給紙カセット２２の標示部に対応して、収容される記録用紙の白色度を登録しておくことにより、記録部２０が画像データに基づく画像を記録する際に、指定された給紙カセット２２にセットしてある記録用紙の白色度に応じた画像処理を画像処理部１６にて行うことができ、それぞれの記録用紙に最適な色調での画像の形成を可能とする。
【図面の簡単な説明】
【００８０】
【図１】本発明に係るカラー画像形成装置１の構成例を示すブロック図である。
【図２】本発明に係るカラー画像形成装置１の構成を説明する図である。
【図３】グレースケール２３ａおよび標示部材２４ａの構成を説明する図である。
【図４】グレースケール２３ｂおよび標示部材２４ｂの構成を説明する図である。
【図５】給紙カセット２２の構成を説明する図である。
【図６】本発明に係るカラー画像形成装置１における白色度の設定処理手順を示すフローチャートである。
【符号の説明】
【００８１】
１  カラー画像形成装置
１０  制御部
１１  ＲＯＭ
１２  ＲＡＭ
１３  ＮＣＵ
１４  モデム
１５  読取部
１６  画像処理部
１７  画像メモリ
１８  操作部
１９  通信インタフェース
２０  記録部
２１  バス
２２，２２ａ，２２ｂ，２２ｃ  給紙カセット
２３  グレースケール
２４，２４ａ，２４ｂ  標示部材
２５  パッチ
２６  中抜け形状
２７  把持部
【図１】
2009037066.tif 000003
【図２】
2009037066.tif 000004
【図６】
2009037066.tif 000005
【図３】
2009037066.tif 000006
【図４】
2009037066.tif 000007
【図５】
2009037066.tif 000008